(57)【要約】【課題】軸筒の外径を増加させることなく、筆記体内のインキ充填量を増加させることができる多芯筆記具を提供する。【解決手段】軸筒２内に複数の筆記体４を前後方向に移動可能に収容する。各々の筆記体４の後端に操作体７を連結する。軸筒２の側壁に前後方向に延びる複数の窓孔２２を径方向に貫設し、各々の窓孔２２から径方向外方に前記各々の操作体７を突出させる。筆記体４が筒状のインキ収容部６を備える。インキ収容部６が、大径部６１と、該大径部６１の後方に連設され且つ該大径部６１より小さい外径及び内径を有する小径部６２とを備える。常時、弾発体支持部３の内孔３１にイ小径部６２が挿通され且つ弾発体支持部３よりも前方に大径部６１が配置される。【選択図】  図１
2013095014.tif 000002
【特許請求の範囲】
【請求項１】
軸筒内に複数の筆記体を前後方向に移動可能に収容し、前記各々の筆記体の後端に操作体を連結し、前記軸筒内に前記各々の操作体を後方に付勢する弾発体を複数収容し、前記軸筒の内壁に各々の弾発体の前端を支持し且つ各々の筆記体が挿通する内孔を有する弾発体支持部を設け、前記軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させてなる多芯筆記具であって、
前記筆記体が筒状のインキ収容部を備え、前記インキ収容部が、大径部と、該大径部の後方に連設され且つ該大径部より小さい外径及び内径を有する小径部とを備え、常時、前記弾発体支持部の内孔に前記小径部が挿通され且つ前記弾発体支持部よりも前方に前記大径部が配置されてなることを特徴とする多芯筆記具。
【請求項２】
前記大径部と前記小径部との間に段部を形成し、常時、前記段部が前記弾発体支持部よりも前方に配置されてなる請求項１に記載の多芯筆記具。
【発明の詳細な説明】
【技術分野】
【０００１】
本発明は、多芯筆記具に関する。詳細には、軸筒内に複数本の筆記体を前後方向に移動可能に収容した多芯筆記具に関する。
【背景技術】
【０００２】
従来、例えば、特許文献１には、外装体に摺動可能に取り付けられた操作体を摺動操作することにより、外装体内部に収納された先端にペン先を有する複数のリフィルを交互に外装体先端より出没させてなる多芯式筆記具が記載されている。
【０００３】
前記特許文献１の多芯式筆記具において、リフィル内へのインキ充填量を増加させるために、単にリフィルの内径及び外径を増加させると、それに伴い軸筒の外径も増加し、携帯性及び外観性が損なわれる。
【先行技術文献】
【特許文献】
【０００４】
【特許文献１】特開平９−２０７４９４号公報
【発明の概要】
【発明が解決しようとする課題】
【０００５】
本発明は、前記従来の問題点を解決するものであって、軸筒の外径を増加させることなく、筆記体内のインキ充填量を増加させることができる多芯筆記具を提供しようとするものである。
尚、本発明で、「前」とは筆記具本体のペン先側を指す。「後」とは筆記具本体の反ペン先側を指す。
【課題を解決するための手段】
【０００６】
本願の第１の発明は、軸筒２内に複数の筆記体４を前後方向に移動可能に収容し、前記各々の筆記体４の後端に操作体７を連結し、前記軸筒２内に前記各々の操作体７を後方に付勢する弾発体８を複数収容し、前記軸筒２の内壁に各々の弾発体８の前端を支持し且つ各々の筆記体４が挿通する内孔３１を有する弾発体８支持部３を設け、前記軸筒２の側壁に前後方向に延びる複数の窓孔２２を径方向に貫設し、前記各々の窓孔２２から径方向外方に前記各々の操作体７を突出させ、一つの操作体７を窓孔２２に沿って前方にスライドさせることにより、その一つの操作体７に連結された筆記体４のペン先５を軸筒２の前端孔２１から突出させるとともに、先に突出状態にあった他の筆記体４のペン先５を軸筒２内に没入させてなる多芯筆記具であって、前記筆記体４が筒状のインキ収容部６を備え、前記インキ収容部６が、大径部６１と、該大径部６１の後方に連設され且つ該大径部６１より小さい外径及び内径を有する小径部６２とを備え、常時、前記弾発体支持部３の内孔３１に前記小径部６２が挿通され且つ前記弾発体支持部３よりも前方に前記大径部６１が配置されてなることを要件とする。
【０００７】
前記第１の発明の多芯筆記具１は、前記インキ収容部６が、大径部６１と、該大径部６１の後方に連設され且つ該大径部６１より小さい外径及び内径を有する小径部６２とを備えるため、従来の筆記体４に比べてインキ充填量を増加できる。しかも、前記第１の発明の多芯筆記具１は、軸筒２内の弾発体支持部３より前方の空間（比較的余裕のある空間）に筆記体４の大径部６１を常時収容配置させ、且つ、筆記体４の小径部６２が弾発体支持部３の内孔３１を挿通するとともに該小径部６２が弾発体支持部３よりも後方に常時収容配置する構成のため、軸筒２の外径を増加させることなく、従来同様の軸筒２の外径を維持できる。即ち、前記第１の発明の多芯筆記具１は、軸筒２の外径を増加させることなく、筆記体４内のインキ充填量を増加させることできる。
【０００８】
本願の第２の発明は、前記第１の発明の多芯筆記具１において、前記大径部６１と前記小径部６２との間に段部６３を形成し、常時、前記段部６３が前記弾発体支持部３よりも前方に配置されてなることを要件とする。
【０００９】
前記第２発明の多芯筆記具１は、インキ収容部６の大径部６１の後端部の外径を、弾発体支持部３の近傍まで大きくでき、インキ収容部の大径部６１のインキ充填量を確実に増加させることができる。
【発明の効果】
【００１０】
本発明の多芯筆記具は、軸筒の外径を増加させることなく、筆記体内のインキ充填量を増加させることができる。
【図面の簡単な説明】
【００１１】
【図１】本発明の実施の形態のペン先没入状態を示す縦断面図である。
【図２】図１のペン先突出状態を示す縦断面図である。
【図３】図１の連結状態の筆記体と操作体を示す縦断面図である。
【発明を実施するための形態】
【００１２】
本実施の形態の多芯筆記具１は、軸筒２内に複数本（具体的には２本）の筆記体４が前後方向に移動可能に収容されている。前記各々の筆記体４は、弾発体８（具体的には圧縮コイルスプリング）により後方に付勢されている。尚、本発明において、前記軸筒２内に移動可能に収容する筆記体４の本数は、２本以上であればよく、２本以外にも、３本、４本、５本、６本等であってもよい。
【００１３】
（軸筒）
前記軸筒２は、先細状の円筒体からなる前軸２ａと、該前軸２ａの後端部と螺合または圧入により取り付けられる円筒状の後軸２ｂとからなる。前記前軸２ａの前端には、筆記体４のペン先５が突出可能な前端孔２１が軸方向に貫設される。前記前軸２ａ及び後軸２ｂは、合成樹脂（例えば、ポリカーボネイト等）の射出成形により得られる。
【００１４】
前記後軸２ｂの後部の側壁には、複数本（具体的には２本）の前後方向に延びる細長状の窓孔２２が、径方向に貫設される。前記２本の窓孔２２は、互いに、軸線に対して対称の位置に形成される。
【００１５】
また、前記後軸２ｂの窓孔２２の相互間の側壁内面には、前後方向に延びるリブよりなる係止壁部２３が形成され、前記係止壁部２３に、ペン先５が突出した際の筆記体４の操作体７の後端が係止される。また、軸筒２後端には、ペン先５が没入した際の筆記体４の操作体７の後端が当接する当接壁部２４が形成される。
【００１６】
（筆記体）
前記各々の筆記体４は、例えば、ボールペンレフィル、サインペンレフィル、マーキングペンレフィル等、公知のペン先５を備えたレフィルが挙げられる。
【００１７】
本実施の形態では、ボールペンレフィルが採用される。前記ボールペンレフィルは、ボールペンチップ（ペン先５）と、該ボールペンチップを前端に備え且つ内部にインキが収容されたインキ収容管６（インキ収容部）とからなる。前記インキ収容管６は、大径部６１と、該大径部６１の後方に連設され且つ大径部６１より小さい外径及び内径を有する小径部６２とを備える。前記大径部６１と前記小径部６２との間には段部６３が形成される。前記大径部６１の外径は前記小径部６２の外径より大きく形成され、且つ、前記大径部６１の内径は前記小径部６２の内径より大きく形成される。本実施の形態では、前記インキ収容管６（インキ収容部）は、１部品で構成しているが、複数の部品（２部品）で構成してもよい。
【００１８】
前記インキ収容管６の内部には、インキ６４（例えば、剪断減粘性を有する水性ゲルインキ、低粘度の水性インキ、低粘度の油性インキ、または高粘度の油性インキ）が収容される。前記インキ６４が、剪断減粘性を有する水性ゲルインキ、低粘度の水性インキ、または低粘度の油性インキの場合、インキ収容管６内のインキ６４の後端には、インキ６４の消費に伴い前進する高粘度流体からなる追従体６５が充填される。
【００１９】
（操作体）
前記各々の筆記体４の後端（即ちインキ収容管６の後端開口部）には、操作体７が取り付けられる。前記各々の操作体７は、後端部に形成され且つ軸筒２の窓孔２２から外部に突出する操作部７１と、該操作部７１の反対側に設けられる前側突出部７２と、該操作部７１の反対側の前側突出部７２の後方に設けられる後側突出部７３と、前端部に形成され且つインキ収容管６の後端開口部に嵌入される嵌入部７４と、該嵌入部７４の後方に形成される鍔部７５とを備える。前記鍔部７５の前面には、弾発体８の後端が係止される。
【００２０】
筆記体４のペン先５が没入状態のとき、その筆記体４に取り付けられた操作体７の後端部は、軸筒２の後端の当接壁部２４に衝止される。一方、筆記体４のペン先５が突出状態のとき、その筆記体４に取り付けられた操作体７の後端部は、軸筒２の内壁に形成された係止壁部２３に係止される。
【００２１】
ペン先没入状態にある筆記体４の後端に連結された操作体７の前側突出部７２は、その操作体７の操作部７１を前方にスライド操作した際、先に突出状態にある他の筆記体４の後端に連結された操作体７の後側突出部７３と当接され、他の筆記体４のペン先突出状態が解除される。
【００２２】
（弾発体支持部）
軸筒２の内壁（即ち後軸２ｂの内壁）には、円筒状の弾発体支持部３が設けられる。前記弾発体支持部３は、筆記体４が挿通される複数（具体的には２個）の内孔３１が軸方向に貫設されている。前記弾発体支持部３の後面と、各々の操作体７の鍔部７５の前面との間には、弾発体８が配置される。前記各々の弾発体８の内部に筆記体４が遊挿されるとともに、各々の弾発体８の前端は弾発体支持部３の後面により係止され、各々の弾発体８の後端は操作体７の鍔部７５の前面に係止される。
【００２３】
前記各々の弾発体８は、各々の操作体７７（即ち各々の筆記体４）を、常時、後方に付勢している。前記各々の弾発体８は、ペン先突出状態及びペン先没入状態のいずれにおいても圧縮状態（即ち筆記体４が後方に付勢された状態）にあり、それにより、各々の操作体７の前後のがたつきが防止される。
【００２４】
常時、前記弾発体支持部３の内孔３１にインキ収容管６の小径部６２が挿通し且つ前記弾発体支持部３よりも前方に大径部６１が配置される。弾発体支持部３よりも前方の軸筒２内の空間には、比較的余裕があるため、筆記体４の大径部６１を十分に収容でき、それにより、軸筒２の外径を増加することなく、インキ充填量を効果的に増加できる。
【００２５】
前記弾発体支持部３の内孔３１の内径は、前記小径部６２の外径より僅かに大きく形成され、且つ、前記大径部６１の外径より小さく形成される。それにより、常時、前記弾発体支持部３の内孔３１にインキ収容管６の小径部６２が挿通され且つ前記弾発体支持部３よりも前方に大径部６１が配置されてなる構成を確実に得る。
【００２６】
（ペン先の出没）
本実施の形態におけるペン先５の出没作動について説明する。
一つの操作体７の操作部７１を弾発体８の後方付勢に抗して窓孔２２に沿って前方にスライド操作すると、そのスライド操作された操作体７の前側突出部７２が、先に突出状態にある他の筆記体４の操作部７１の後側突出部７３を径方向外方に持ち上げる。それにより、軸筒２内壁の係止壁部２３と操作体７との係止状態が解除され、他の筆記体４が弾発体８の後方付勢により後方に移動され、他の筆記体４のペン先５が軸筒２内に没入され、他の筆記体４の操作部７１の後端が軸筒２後端の当接壁部２４に当接衝止される。前記他の筆記体４のペン先５の没入と同時に、前記前方にスライド操作した操作体７に連結された筆記体４のペン先５が、軸筒２の前端孔２１より外部に突出されるとともに、前方にスライド操作された操作体７の後端が軸筒２内壁の係止壁部２３に係止され、そのペン先突出状態が維持される。
【００２７】
本実施の形態の多芯筆記具１は、前記筆記体４が筒状のインキ収容部（インキ収容管６）を備え、前記インキ収容部が、大径部６１と、該大径部６１の後方に連設され且つ該大径部６１より小さい外径及び内径を有する小径部６２とを備え、常時、前記弾発体支持部３の内孔３１にインキ収容部の小径部６２が挿通され且つ前記弾発体支持部３よりも前方に大径部６１が配置されることにより、軸筒２の外径を増加させることなく、筆記体４内のインキ充填量を増加させることできる。
【００２８】
本実施の形態の多芯筆記具１は、前記大径部６１と前記小径部６２との間に段部６３を形成し、常時、前記段部６３が前記弾発体支持部３よりも前方に配置されてなることにより、インキ収容部（インキ収容管６）の大径部６１の後端部の外径を、弾発体支持部３の近傍まで大きくでき、インキ収容部の大径部６１のインキ充填量を確実に増加させることができる。
【符号の説明】
【００２９】
１  多芯筆記具
２  軸筒
２ａ  前軸
２ｂ  後軸
２１  前端孔
２２  窓孔
２３  係止壁部
２４  当接壁部
３  弾発体支持部
３１  内孔
４  筆記体
５  ペン先
６  インキ収容部（インキ収容管）
６１  大径部
６２  小径部
６３  段部
６４  インキ
６５  追従体
７  操作体
７１  操作部
７２  前側突出部
７３  後側突出部
７４  嵌入部
７５  鍔部
８  弾発体
【図１】
2013095014.tif 000003
【図２】
2013095014.tif 000004
【図３】
2013095014.tif 000005